(57)【要約】      （修正有）【課題】高電圧印加板への冷熱の伝熱を抑制して冷却手段による放電電極の冷却を効率的に行え、高電圧印加板部分に不必要に結露水が発生することによるトラブルが生じない。【解決手段】放電電極１を冷却して放電電極１に結露水を生成すると共に、放電電極１に生成した結露水に高電圧印加手段３により高電圧を印加することで、水を静電霧化して帯電微粒子水を発生させる。上記放電電極１に高電圧印加手段３側と電気的に接続するための高電圧印加板５を設け、該高電圧印加板５を空隙を有する導電性のある部材により形成する。【選択図】図１
2010227809.tif 000002
【特許請求の範囲】
【請求項１】
放電電極を冷却して放電電極に結露水を生成すると共に、放電電極に生成した結露水に高電圧印加手段により高電圧を印加することで、水を静電霧化して帯電微粒子水を発生させる静電霧化装置において、放電電極に高電圧印加手段側と電気的に接続するための高電圧印加板を設け、該高電圧印加板を空隙を有する導電性の部材により形成して成ることを特徴とする静電霧化装置。
【請求項２】
高電圧印加板を多孔質の焼結金属により形成して成ることを特徴とする請求項１記載の静電霧化装置。
【請求項３】
高電圧印加板を多孔質の導電性合成樹脂により形成して成ることを特徴とする請求項１記載の静電霧化装置。
【請求項４】
高電圧印加板をパンチングメタルで形成して成ることを特徴とする請求項１記載の静電霧化装置。
【発明の詳細な説明】
【技術分野】
【０００１】
本発明は、静電霧化現象によりナノメータサイズの帯電微粒子水を発生させて霧化対象空間に供給するようにした静電霧化装置に関するものである。
【背景技術】
【０００２】
従来から、放電電極を冷却して放電電極に結露水を生成すると共に、放電電極に生成した結露水に高電圧を印加することで、水を静電霧化して帯電微粒子水を発生させる静電霧化装置が特許文献１により知られている。
【０００３】
この特許文献１に示された静電霧化装置は、ペルチェユニットの冷却部に接続された放電電極と、放電電極の先端部と対向する対向電極と、放電電極に接続した金属板よりなる高電圧印加板と、該高電圧印加板と対向電極とに高圧リード線を介して接続した高電圧印加手段とを備えている。
【０００４】
この静電霧化装置は、ペルチェユニットの冷却部の冷熱を放電電極に伝熱して放電電極を冷却することで、空気中の水分を放電電極に結露水として生成させ、このようにして放電電極に結露水としての水を供給した状態で、高電圧印加手段から高電圧を印加することで、放電電極の先端部に供給された水を静電霧化して帯電微粒子水を生成するようにしている。
【先行技術文献】
【特許文献】
【０００５】
【特許文献１】特開２００６−８２６号公報
【発明の概要】
【発明が解決しようとする課題】
【０００６】
しかしながら、従来技術にあっては、ペルチェユニットの冷却部の冷熱を放電電極に伝熱して放電電極を冷却して放電電極に結露水を生成させるに当たり、放電電極に金属板よりなる高電圧印加板を接続してあるので、高電圧印加板に冷熱が伝熱するという熱ロスが発生し、小容量のペルチェユニットで熱ロスを少なくして効率的に放電電極を冷却することができないという問題がある。また、このように熱ロスが発生するので、ペルチェユニットの小容量化に制約があって、コンパクト化し難いという問題がある。
【０００７】
更に、静電霧化に当っては、放電電極を冷却して放電電極のみに結露水を生成させればよいのであるが、高電圧印加板も冷却されることで、高電圧印加板にも結露水が生成し、この高電圧印加板部分に生成した結露水は静電霧化されることなく、溜まり、この不必要に生成された水がペルチェユニット側に浸入して電気的トラブルを発生させたり、あるいは装置の外に漏れる等のトラブルを発生させるおそれがある。
【０００８】
本発明は上記の従来例の問題点に鑑みて発明したもので、高電圧印加板への冷熱の伝熱を抑制して冷却手段による放電電極の冷却を効率的に行え、高電圧印加板部分に不必要に結露水が発生することによるトラブルが生じないようにできる静電霧化装置を提供することを課題としている。
【課題を解決するための手段】
【０００９】
上記課題を解決するために、本発明は、以下のような構成になっている。
【００１０】
本発明の静電霧化装置４は、放電電極１を冷却して放電電極１に結露水を生成すると共に、放電電極１に生成した結露水に高電圧印加手段３により高電圧を印加することで、水を静電霧化して帯電微粒子水を発生させるものである。そして、本発明は、放電電極１に高電圧印加手段３側と電気的に接続するための高電圧印加板５を設け、該高電圧印加板５を空隙５ａを有する導電性の部材により形成して成ることを特徴としている。
【００１１】
このように高電圧印加板５を空隙５ａを有する導電性の部材により形成することで、高電圧印加板５の熱伝導率を大きく損なうことなく断熱性にすぐれたものとすることができ、これにより、放電電極１を冷却すべき冷熱が高電圧印加板５側に伝熱するのを抑制することができる。
【００１２】
また、高電圧印加板５を多孔質の焼結金属により形成したり、あるいは、高電圧印加板５を多孔質の導電性合成樹脂により形成したり、あるいは、高電圧印加板５をパンチングメタルで形成することが好ましい。
【００１３】
このように高電圧印加板５を多孔質の焼結金属により形成したり、あるいは、高電圧印加板５を多孔質の導電性合成樹脂により形成したり、あるいは、高電圧印加板５をパンチングメタルで形成することで、簡単に熱伝導率を大きく損なうことなく断熱性にすぐれた高電圧印加板５を形成できる。
【発明の効果】
【００１４】
本発明は、上記のように放電電極に高電圧印加手段側と電気的に接続するために設けた高電圧印加板を空隙を有する導電性のある部材により形成することで、放電電極を冷却すべき冷熱が高電圧印加板に伝熱するのを抑制することができ、この結果、熱ロスを少なくして効率的に放電電極を冷却して放電電極に結露水を生成して静電霧化ができる。また、熱ロスを少なくできるので、冷却手段の容量を小さくすることが可能で、装置の小型化も可能となる。更に、高電圧印加板を冷却して高電圧印加板に結露水が生成するのを抑制できて、不必要な結露水の生成が抑制できるので、不必要に生成された水によるトラブルが生じないようにできる。
【図面の簡単な説明】
【００１５】
【図１】本発明の概略構成図である。
【図２】同上の他の実施形態の概略構成図である。
【図３】高電圧印加板の一実施形態の厚み方向の拡大断面図である。
【図４】高電圧印加板の他の実施形態の平面図である。
【発明を実施するための形態】
【００１６】
図１には静電霧化装置４の概略構成図が示してあり、静電霧化装置４には少なくとも、放電電極１と、該放電電極１を冷却して空気中の水分を該放電電極１に結露させることにより放電電極１に水を供給する冷却手段２と、放電電極１の水に高電圧を印加する高電圧印加手段３とを備えている。
【００１７】
図１には静電霧化装置４の概略構成図を示している。
【００１８】
添付図面に示す実施形態において、放電電極１を冷却するための冷却手段２はペルチェユニット６により構成してある。
【００１９】
ペルチェユニット６は、熱伝導性の高いアルミナや窒化アルミニウムから成る絶縁板の片面側に回路を形成した一対のぺルチェ回路板１０を、互いの回路側が向い合うように対向させ、多数列設してある熱電素子１１を両ぺルチェ回路板１０間で挟持するとともに隣接する熱電素子１１同士を両側の回路で電気的に接続させ、ぺルチェ入力リード線１２を介して為される熱電素子１１への通電により一方のぺルチェ回路板１０側から他方のぺルチェ回路板１０側に向けて熱が移動するように構成したものである。
【００２０】
図１の実施形態では上記ペルチェユニット６の一方の側（冷却側）のぺルチェ回路板１０の外側には更にアルミナや窒化アルミニウム等から成る高熱伝導性及び高耐電性の高い冷却用絶縁板１３を接続してペルチェ回路板１０の主体を構成する絶縁板、冷却用絶縁板１３で冷却部７を構成し、他方の側（放熱側）のぺルチェ回路板１０の外側にアルミニウム等の金属から成る高熱伝導性の放熱部１４を接続している。
【００２１】
ハウジング８は、ＰＢＴ樹脂やポリカーボネートやＰＰＳ樹脂等の絶縁材料を用いて両端が開口した筒状に形成すると共に、略中間部分に仕切り部１５を設けて背方に開口した収納室９と、前方に開口した放電室１６とに仕切ってある。また、ハウジング８の収納室９の開口である背方側開口の縁部にはその全周に亘って連結用のフランジ部２２を突設するとともに、放電室１６の前方側開口にはリング状の対向電極１７を配設している。
【００２２】
ペルチェユニット６の放熱部１４を除く部分を収納室９に収納し、この状態で上記放熱部１４の周縁部をフランジ部２２に固定して密封することで、ハウジング８にぺルチェユニット６に取付ける。
【００２３】
上記のようにハウジング８をぺルチェユニット６に取付ける際に、上記放電電極１を仕切り部１５に設けた孔１８に嵌め込んで放電電極１の後端部以外の部分を放電室１６内に位置させ、放電電極１の後端部の大径となった部分を収納室９内に位置させることで、ハウジング８の仕切り部１５とペルチェユニット６の冷却部７とで放電電極１の後端部の大径となった部分を挟み込むものであり、この挟み込みによって放電電極１がぺルチェユニット６の冷却部７側に押圧されて接続状態となっている。なお、ペルチェユニット６の冷却部７と放電電極１の後端部とは熱伝導性に優れた接着剤により接着してもよい。上記放電電極１を嵌め込んだ孔１８は封止材１９により密封される。
【００２４】
なお、図２に示すように、ペルチェユニット６の冷却側のぺルチェ回路板１０の主体を構成する絶縁板で冷却部７を構成して、該ぺルチェ回路板１０の主体を構成する絶縁板に放電電極１の後端部にのみ接触又は固着してもよい。この場合は、ペルチェ回路板１０の主体を構成する絶縁板、冷却用絶縁板１３で冷却部７を構成する図１の実施形態に比べて、冷却用絶縁板１３を必要とせず、その分コンパクトにできると共に、冷却用絶縁板１３を設けることによる熱ロスを無くしてペルチェユニット６の冷却側の冷熱を効果的に放電電極１に伝えて冷やすことができる。
【００２５】
また、図２のようにペルチェユニット６の冷却側のペルチェ回路板１０の主体となる絶縁板により構成した冷却部７を、放電電極１の後端部にのみ接触又は固着して接続し、ハウジング８と非接触としてもよい。これにより、冷却部９の冷熱は放電電極１の後端部にのみ熱伝導することが可能となる。
【００２６】
もちろん、図１のようにペルチェ回路板１０の主体を構成する絶縁板、冷却用絶縁板１３で冷却部７を構成する実施形態においても、ペルチェ回路板１０の主体を構成する絶縁板、冷却用絶縁板１３で冷却部７を放電電極１の後端部にのみ接触又は固着して接続し、ハウジング８と非接触として、冷却部９の冷熱が放電電極１の後端部にのみ熱伝導するようにしてもよい。
【００２７】
ペルチェユニット６の冷却部７に接続された放電電極１は、熱伝導性及び導電性の高い材料を用いて略棒状に形成してあって、ペルチェユニット６により冷されて結露水を生成するようになっている。
【００２８】
放電電極１の先端の延長線上に上記対向電極１７のリング状の中心が位置するようになっている。
【００２９】
高電圧印加板５は図１に示すようにハウジング８を貫通して収納室９内に配置してあり、高電圧印加板５の一端部が収納室９内において放電電極１の後端部付近に接続してあり、この高電圧印加板５のハウジング８の外部に突出した他端部が高電圧印加手段３に高圧リード線２１を介して接続して放電電極１に高電圧を印加するようになっている。添付図面に示す実施形態では、対向電極１７も高電圧印加手段３に接続してあり、高電圧印加手段３から放電電極１と対向電極１７との間に高電圧が印加されるようになっている。
【００３０】
本発明においては、上記放電電極１に接続する高電圧印加板５が空隙５ａを有する導電性のある部材により構成してある。空隙５ａを有する導電性のある部材とは、例えば多孔質の焼結金属、多孔質の導電性合成樹脂（例えば、金属フィラー入りの合成樹脂発泡体）、あるいは、図４に示すように導電性のパンチングメタルなどを挙げることができるが、必ずしもこれにのみ限定されるものではない。多孔質の焼結金属、多孔質の導電性合成樹脂においては、図３に示すように高電圧印加板５の厚み内に多数の空隙５ａが形成される。また、導電性のパンチングメタルにおいては、孔部分が空隙５ａとなる。なお、図４に示すような導電性のパンチングメタルで高電圧印加板５を形成した場合、高電圧印加板５の孔を設けた部分の巾に対して当該巾内に存在する孔の径の合計長さ（当該巾内に孔が１つしか存在しない場合は１つの孔の径）が１／２以上であれば効果は更に高くなる（例えば、高電圧印加板５の孔を設けた部分の巾が１６．９ｍｍの場合、当該巾内における孔の径の合計を８．４５ｍｍ以上とする）。
【００３１】
上記の構成の静電霧化装置４は、熱電素子１１に対して通電を行うと、各熱電素子１１内において同一方向への熱の移動が生じ、ペルチェユニット６の冷却部７が冷却される。冷却部７が冷却されることで冷却部７に接続した放電電極１が冷却され、放電電極１の周囲の空気が冷却されることで、空気中の水分が結露等により液化されて放電電極１の先端部に結露水が生成される。
【００３２】
上記のようにして放電電極１を冷却して放電電極１の先端部に結露水が保持された状態で、放電電極１の先端部に保持されている水に高電圧印加手段３により高電圧を印加する（例えば、放電電極１の先端部側がマイナス電極となって電荷が集中するように該放電電極１と対向電極との間に５ｋＶ程度の高電圧を印加する）と、放電電極１の先端部に保持される水が帯電し、帯電した水にクーロン力が働き、該水の液面が局所的に円錐形状（テイラーコーン）に盛り上がり、円錐形状となった水の先端に電荷が集中して電荷の密度が高密度となり、高密度の電荷の反発力ではじけるようにして水が分裂・飛散（レーリー分裂）して静電霧化を行い、ラジカルを有するナノメータサイズの帯電微粒子ミスト（マイナスイオンミスト）を発生させる。
【００３３】
ここで、本発明においては、放電電極１に接続する高電圧印加板５が空隙５ａを有する導電性のある部材により構成してあるので、放電電極１から高電圧印加板５に冷熱が伝熱しにくく、したがって、放電電極１が冷却されて放電電極１部分に結露水が生成して静電霧化に関係ない結露水が発生するのを抑制することができる。また、放電電極１から高電圧印加板５側に冷熱が伝熱しにくいので、冷却部７の冷熱を効率的に放電電極１に伝熱して放電電極１を冷却できる。したがって、熱ロスがなく、小容量のペルチェユニット６で効果的に放電電極１を冷却して放電電極１に結露水を発生させることができ、静電霧化装置４をコンパクト化できる。
【００３４】
なお、上記実施形態においては、放電電極１を冷却して空気中の水分を該放電電極１に結露させることにより放電電極１に水を供給する冷却手段２として、ペルチェユニット６の例を示したが、冷却手段２としてはこれにのみ限定されず、例えば、従来から公知の種々の熱交換手段の冷却部で冷却手段２を構成してもよい。
【符号の説明】
【００３５】
１  放電電極
２  冷却手段
３  高電圧印加手段
４  静電霧化装置
５  高電圧印加板
５ａ  空隙
【図１】
2010227809.tif 000003
【図２】
2010227809.tif 000004
【図３】
2010227809.tif 000005
【図４】
2010227809.tif 000006